(57)【特許請求の範囲】
【請求項１】
ハウジングの長さ方向（Ｙ）に延在するスロットを有するハウジング（１００）を備えたレセプタクルコネクタであって、
前記スロットは、電子モジュール（２００）を前記スロット内に受容して前記電子モジュール（２００）を接続するように構成されており、
１つの弾性押圧フィンガ（１１０）が、前記ハウジング（１００）の幅方向（Ｘ）において互いに向かいあう前記スロットの１対の側壁のそれぞれに形成され、
所定の長さを有する傾斜した平坦表面（１１１）の区域が、前記弾性押圧フィンガ（１１０）のそれぞれの内側表面上に形成され、また、前記傾斜した平坦表面（１１１）と前記長さ方向（Ｙ）および前記幅方向（Ｘ）によって画定された平面との間の角度（α）が０度を超え９０度未満であり、
前記電子モジュール（２００）を前記スロットに挿入するとき、前記弾性押圧フィンガ（１１０）の前記傾斜した平坦表面（１１１）が前記電子モジュール（２００）の頂部の側方縁部（２１１）に対して押圧され、その結果、前記電子モジュール（２００）に及ぼされる複数の押圧力の合力が前記ハウジング（１００）の高さ方向（Ｚ）において前記スロットの底部に向けられる、
レセプタクルコネクタ。
【請求項２】
前記傾斜した平坦表面（１１１）と前記長さ方向（Ｙ）および前記幅方向（Ｘ）によって画定された平面との間の前記角度（α）が、３０度を超え６０度未満である、
請求項１に記載のレセプタクルコネクタ。
【請求項３】
前記傾斜した平坦表面（１１１）と前記長さ方向（Ｙ）および前記幅方向（Ｘ）によって画定された平面との間の前記角度（α）が、４５度に等しい、
請求項２に記載のレセプタクルコネクタ。
【請求項４】
前記弾性押圧フィンガ（１１０）のそれぞれの端部が、挿入された前記電子モジュール（２００）が前記レセプタクルコネクタから分離するのを防止するためのフック形状の突出部（１１２）を備えて形成される、
請求項１から３のいずれか一項に記載のレセプタクルコネクタ。
【請求項５】
前記弾性押圧フィンガ（１１０）が、前記ハウジング（１００）と一体に形成される、請求項４に記載のレセプタクルコネクタ。
【請求項６】
前記弾性押圧フィンガ（１１０）が、前記ハウジング（１００）の前記長さ方向（Ｙ）に所定の距離だけ互いからずれている、
請求項５に記載のレセプタクルコネクタ。
【請求項７】
前記電子モジュール（２００）がリレーであり、前記レセプタクルコネクタがリレーソケットである、請求項６に記載のレセプタクルコネクタ。
【請求項８】
前記ハウジング（１００）には複数の電気接続端子（１２０）が設けられており、
前記複数の電気接続端子（１２０）のそれぞれが、回路基板（３００）に電気的に接続された一方の端部と、挿入された前記電子モジュール（２００）の端子と電気的に接触する他方の端部と、を有する、
請求項７に記載のレセプタクルコネクタ。
【請求項９】
前記レセプタクルコネクタの前記電気接続端子（１２０）が、前記回路基板（３００）に挿入され、かつ前記回路基板（３００）に接続される、
請求項８に記載のレセプタクルコネクタ。
【請求項１０】
前記レセプタクルコネクタの前記ハウジング（１００）が、前記回路基板（３００）上に垂直に設けられる、
請求項９に記載のレセプタクルコネクタ。
【発明の詳細な説明】
【技術分野】
【０００１】
関連出願の相互参照
本出願は、２０１４年７月８日に中国国家知識産権局に提出された中国特許出願第２０１４２０３７５０１９．Ｘ号の利益を主張する。当該出願の開示全体が、参照によって本明細書に組み込まれる。
【０００２】
本発明は、一般にレセプタクルコネクタに関し、より詳細には、中にリレーを受容しこれに接続するために使用されるレセプタクルコネクタに関する。
【背景技術】
【０００３】
先行技術では、リレーは一般的には、リレーに電圧または電流制御信号を供給するために、レセプタクルコネクタを介して制御回路基板に電気的に接続される。
【０００４】
しかしながら先行技術では、あるサイズを有するリレーは、このサイズを有するリレーと合致するレセプタクルコネクタにしか挿入できない。したがって、あるサイズを有するレセプタクルコネクタは、ある対応するサイズを有するリレーとしか嵌合することができず、異なるサイズを有するリレーとは嵌合することができない。その結果、レセプタクルコネクタおよびこのレセプタクルコネクタを有する制御回路基板の適用が限定される。たとえば、異なるサイズを有するリレーに交換するとき、レセプタクルコネクタを、およびこのレセプタクルコネクタを有する制御回路基板さえも同時に交換しなければならず、結果として不必要な廃棄が生じる。
【発明の概要】
【発明が解決しようとする課題】
【０００５】
本発明は、先行技術における上記の問題および欠点の少なくとも１つの局面を解決するためになされたものである。
【０００６】
本発明の１つの目的は、様々なサイズの電子モジュールに適合されたレセプタクルコネクタを提供することである。
【０００７】
本発明の別の目的は、単純な構造を有するレセプタクルコネクタを提供することである。
【課題を解決するための手段】
【０００８】
本発明の一態様によれば、ハウジングの長さ方向に延在するスロットを有するハウジングを備える、レセプタクルコネクタが提供される。このスロットは、スロット内に電子モジュールを受容して電子モジュールを接続するように構成される。１つの弾性押圧フィンガ（spring press finger）が、前記ハウジングの幅方向において互いに向かいあうスロットの１対の側壁のそれぞれに形成される。所定の長さを有する傾斜した平坦表面（slope flat surface）の区域が、弾性押圧フィンガのそれぞれの内側表面上に形成される。また、傾斜した平坦表面と長さ方向および幅方向によって画定された平面との間の角度は、０度を超え９０度未満である。電子モジュールをスロットに挿入するとき、弾性押圧フィンガの傾斜した平坦表面が電子モジュール頂部の側方縁部に対して押圧され、その結果、電子モジュールに及ぼされる複数の押圧力の合力がハウジングの高さ方向においてスロットの底部に向けられる。
【０００９】
本発明の例示的な実施形態によれば、傾斜した平坦表面と前記長さ方向および幅方向によって画定される平面との間の角度は、３０度を超え６０度未満である。
【００１０】
本発明の別の例示的な実施形態によれば、傾斜した平坦表面と前記長さ方向および幅方向によって画定される平面との間の角度は、４５度に等しい。
【００１１】
本発明のさらなる例示的な実施形態によれば、弾性押圧フィンガのそれぞれの端部は、挿入された電子モジュールがレセプタクルコネクタから分離するのを防止するためのフック形状の突出部を備えて形成される。
【００１２】
本発明のさらに別の例示的な実施形態によれば、弾性押圧フィンガは、ハウジングと一体に形成される。
【００１３】
本発明のさらに別の例示的な実施形態によれば、弾性押圧フィンガは、ハウジングの長さ方向に所定の距離だけ互いからずれている（オフセットしている）。
【００１４】
本発明のさらに別の例示的な実施形態によれば、電子モジュールはリレーであり、また、レセプタクルコネクタはリレーソケットである。
【００１５】
本発明のさらに別の例示的な実施形態によれば、ハウジングには複数の電気接続端子が設けられる。各電気接続端子の一方の端部は、回路基板に電気的に接続され、また、各電気接続端子の他方の端部は挿入される電子モジュールの端子に電気的に接続される。
【００１６】
本発明のさらに別の例示的な実施形態によれば、電気接続端子は、回路基板に挿入されこれに接続される。
【００１７】
本発明のさらに別の例示的な実施形態によれば、レセプタクルコネクタのハウジングは回路基板上に垂直に設けられる。
【００１８】
本発明の様々な実施形態では、弾性押圧フィンガの傾斜した平坦表面を、様々なサイズを有する電子モジュール頂部の側方縁部に対して接触させかつ押圧することができる。このため、本発明のレセプタクルコネクタを、様々なサイズを有する電子モジュールを中に受容するように適合することができるとともに、このレセプタクルコネクタはより優れた汎用性を有する。その結果、様々なサイズを有する電子モジュールを、良好に挟持された状態に保持することができる。振動状態においても、電子モジュールとレセプタクルコネクタとの間の良好な電気的接触を、依然として保持することができる。加えて、本発明のレセプタクルコネクタは、単純な構造を有し、製造が容易である。
【００１９】
本発明の上記した目的および特徴、および他の目的および特徴は、本発明の包括的な理解に寄与する添付図面を参照して、その複数の例示的な実施形態について詳細に記載することによって、より明らかとなるであろう。
【図面の簡単な説明】
【００２０】
【図１】その内部に電子モジュールを受容し、かつ電子モジュールを接続するためのレセプタクルコネクタの概略斜視図である。電子モジュールがレセプタクルコネクタに挿入された状態の、本発明の例示的な実施形態によるレセプタクルコネクタを示す。
【図２】図１のレセプタクルコネクタにおける１対の弾性押圧フィンガを示す概略構成図である。
【図３】図１のレセプタクルコネクタにおける１対の弾性押圧フィンガによって電子モジュールに加えられる押圧力の分解図である。
【図４】様々なサイズの電子モジュールを押圧し保持するように適合された、図１に示したレセプタクルコネクタにおける１対の弾性押圧フィンガの概略図である。
【図５】レセプタクルコネクタを装着するための制御回路基板の概略図である。
【発明を実施するための形態】
【００２１】
本開示について、添付の図面と組み合わせて複数の実施形態を参照して、さらに以下で詳細に記載する。この説明では、異なる実施形態における同じまたは類似の参照符号は、同じまたは類似の構成要素を表す。添付の図面を参照した複数の実施形態に対する以下の説明は、本発明の一般概念を例示することを意図しており、本開示を本明細書に述べた実施形態に限定することは意図していない。
【００２２】
さらに、以下の詳細な説明では、理解を容易にするために、本開示の複数の実施形態の包括的な理解をもたらすように複数の詳細が述べられている。但し、１つまたは複数の実施形態をこれらの詳細なしに実行できることは明らかである。他の状況では、周知の構造および装置が、添付の図面を簡略化するために例として具現化される。
【００２３】
本開示の複数の実施形態の一般的な技術概念によれば、スロットを有するハウジングを備える、レセプタクルコネクタが提供される。このスロットは、ハウジングの長さ方向に延在し、かつスロット内に電子モジュールを受容し電子モジュールを接続するように構成される。
１つの弾性押圧フィンガが、ハウジングの幅方向において互いに向かいあうスロットの１対の側壁のそれぞれに形成される。所定の長さを有する傾斜した表面の区域が弾性押圧フィンガのそれぞれの内側表面上に形成される。また、傾斜した平坦表面とハウジングの長さ方向および幅方向によって画定された平面との間の角度は、０度を超え９０度未満である。
電子モジュールをスロットに挿入すると、弾性押圧フィンガの傾斜した平坦表面は、電子モジュールの頂部の側方縁部に対して押圧される。その結果、電子モジュールに及ぼされる押圧力の合力は、ハウジングの高さ方向においてスロットの底部に向けられる。
【００２４】
図１は、本発明の例示的な実施形態による、レセプタクルコネクタの概略斜視図を示す。このレセプタクルコネクタは、その中に電子モジュール２００を受容し、電子モジュール２００を接続する。図１において、電子モジュール２００は、レセプタクルコネクタのハウジング１００のスロットに挿入されている。
【００２５】
図１に示すように、レセプタクルコネクタはハウジング１００、たとえば射出成形によって形成されたプラスチック製のハウジングを備える。
【００２６】
例示された実施形態では、ハウジング１００は長さ方向Ｙ、この長さ方向に対して垂直な幅方向Ｘ、ならびに長さ方向Ｙおよび幅方向Ｘに対して垂直な高さ方向Ｚを有する。ハウジング１００は、その長さ方向Ｙに延在するスロットを有する。このスロットは、スロット内に電子モジュール２００を受容し、電子モジュール２００を接続するように構成される。
【００２７】
引き続き図１によると、１つの弾性押圧フィンガ１１０が、ハウジング１００の幅方向Ｘにおいて互いに向かいあうスロットの１対の側壁のそれぞれに形成される。
【００２８】
図２は、図１のレセプタクルコネクタにおける１対の弾性押圧フィンガ１１０の概略構成図を示す。
【００２９】
図１および図２に示すように、本発明の実施形態では、所定の長さを有する傾斜した平坦表面１１１の区域が、弾性押圧フィンガ１１０のそれぞれの内側表面上に形成され、また、傾斜した平坦表面１１１とハウジング１００の長さ方向Ｙおよび幅方向Ｘによって画定された平面との間の角度αが０度を超え９０度未満である。
【００３０】
図３は、図１のレセプタクルコネクタの１対の弾性押圧フィンガ１１０によって電子モジュール２００に加えられる押圧力２＊Ｆの分解図を示す。
【００３１】
図１、図２、および図３に示すように、電子モジュール２００をハウジング１００のスロットに挿入するとき、弾性押圧フィンガ１１０の傾斜した平坦表面１１１は、電子モジュール２００の頂部の側方縁部２１１に対して押圧される。この結果、２つの弾性押圧フィンガ１１０によって電子モジュール２００に及ぼされる押圧力２＊Ｆの合力２＊Ｆ２は、ハウジング１００の高さ方向Ｚにおいてスロットの底部に向かう。
【００３２】
例示された実施形態では、図３に明確に示すように、弾性押圧フィンガ１１０のそれぞれによって電子モジュール２００に及ぼされる押圧力Ｆは、傾斜した平坦表面１１１に対して垂直な方向に向けられる。弾性押圧フィンガ１１０のそれぞれによって電子モジュール２００に及ぼされる押圧力Ｆは、ハウジング１００の幅方向の水平成分Ｆ１およびハウジング１００の高さ方向Ｚの垂直成分Ｆ２を有する。２つの弾性押圧フィンガ１１０によって電子モジュール２００に及ぼされる押圧力２＊Ｆの２つの水平成分は、大きさが同じであるが方向が互いに反対であり、このためこれらは互いと打ち消し合う。したがって、２つの弾性押圧フィンガ１１０によって電子モジュール２００に及ぼされる２つの押圧力２＊Ｆの合力２＊Ｆ２が、２つの垂直成分の合計であり、ハウジング１００の高さ方向Ｚにおいてスロットの底部に向けられる。
その結果、垂直方向下向きの保持力が電子モジュール２００に常に及ぼされ、電子モジュール２００をハウジング１００のスロット内に確実に挟持することができ、電子モジュール２００が緩むのを防止することができる。このようにして、電子モジュール２００の底部にある端子（図示せず）の、ハウジング１００内の対応する電気接続端子１２０との確実な接触を保証することができ、その結果、レセプタクルコネクタおよび電子モジュール２００は振動状態においても依然として確実に機能することができる。
【００３３】
本発明の例示的な実施形態では、傾斜した平坦表面１１１とハウジング１００の長さ方向Ｙおよび幅方向Ｘによって画定される平面との間の角度αは３０度を超え６０度未満である。
【００３４】
本発明の別の例示的な実施形態では、傾斜した平坦表面１１１とハウジング１００の長さ方向Ｙおよび幅方向Ｘによって画定される平面との間の角度αは４５度に等しい。
【００３５】
本発明がここまで述べてきた実施形態に限定されず、傾斜した平坦表面１１１とハウジング１００の長さ方向Ｙおよび幅方向Ｘによって画定される平面との間の角度αを、０度から９０度の範囲の無作為の度数、たとえば１０度、２０度、３０度、４０度、５０度、６０度、７０度、８０度、などに定めることができることに留意すべきである。
【００３６】
図３に示すように、弾性押圧フィンガ１１０のそれぞれの端部は、挿入された電子モジュール２００がレセプタクルコネクタから分離するのを防止するために、フック形状の突出部１１２を備えて形成される。
【００３７】
例示された実施形態では、図１に示すように、弾性押圧フィンガ１１０は、ハウジング１００と一体に形成される。たとえば、弾性押圧フィンガ１１０およびハウジング１００を、射出成形によって一体に形成することができる。
【００３８】
例示された実施形態では、図１に示すように、１対の弾性押圧フィンガ１１０は、長さ方向Ｙに所定の距離だけ互いからずれている。すなわち、１対の弾性押圧フィンガ１１０は、幅方向Ｘにおいて互いと整列しない。このようにして、電子モジュール２００を、ハウジング１００のスロット内により確実に保持することができる。
【００３９】
本発明の例示的な実施形態では、電子モジュール２００はリレーとすることができ、また、レセプタクルコネクタはリレーレセプタクルとすることができる。但し、本発明はこれらに限定されない。たとえば、電子モジュール２００はメモリバンク・モジュールであってよく、また、レセプタクルコネクタは対応するメモリバンク・レセプタクルコネクタであってよい。
【００４０】
図４は、様々なサイズを有する電子モジュール２００を押圧し保持するように適合された、図１に示したレセプタクルコネクタの１対の弾性押圧フィンガ１１０の概略図である。
【００４１】
例示された実施形態では、図４に示すように、ハウジング１００の幅方向における、１対の弾性押圧フィンガ１１０によって挟持された電子モジュール２００のサイズＷは、例示された第１のサイズＷ１を超えかつ例示された第２のサイズＷ２未満である、無作為のサイズとすることができる。したがって、本発明のレセプタクルコネクタを、様々なサイズを有する電子モジュール２００を押圧し保持するように適合することができる。したがって、異なるサイズを有する電子モジュール２００に交換するとき、レセプタクルコネクタを交換する必要はなく、本発明のレセプタクルコネクタはしたがってより優れた汎用性を有する。
【００４２】
図５は、レセプタクルコネクタを装着するための制御回路基板の概略図である。
【００４３】
図１および図５に示すように、ハウジング１００には電気接続端子１２０が設けられ、この電気接続端子１２０のそれぞれの一方の端部は回路基板３００に電気的に接続され、他方の端部は挿入される電子モジュール２００の底部にある端子に電気的に接続される。このようにして、電子モジュール２００を、回路基板３００に電気的に接続することができる。本発明の実施形態では、電気接続端子１２０を、回路基板３００に直接挿入してこれに接続することができる。
【００４４】
図５に示すように、レセプタクルコネクタのハウジング１００は、回路基板３００上に垂直に設けられ、また、複数のレセプタクルコネクタが、互いから分離されかつ一直線に整列されるように回路基板３００上に配置される。
【００４５】
上記の実施形態が例示的なものであり、また当業者が上記の実施形態に対して多くの変更を行うことができ、また様々な実施形態に記載した様々な構造を構成または原理において対立することなく互いに自由に組み合わせることができることを、当業者であれば理解するであろう。
【００４６】
本開示の例示的な実施形態についてここまで添付の図面を参照して詳細に記載したが、添付の図面で開示した実施形態は、本発明の好ましい実施形態を例として説明することを意図しており、本開示を本明細書で述べた実施形態に限定することを意図していないことを理解すべきである。
【００４７】
いくつかの例示的な実施形態を示しかつ記載してきたが、当業者であれば、これらの実施形態において本開示の原理および精神から逸脱することなく様々な変更または修正を行うことができることを理解するであろう。本開示の範囲は、特許請求の範囲およびそれらの均等物によって定められる。
【００４８】
「備える（ｃｏｍｐｒｉｓｅ）」という用語は他の要素およびステップを除外せず、また、「１つの（ａまたはａｎ）」という用語は２つ以上を除外しないことに、留意すべきである。加えて、特許請求の範囲における参照符号を、本発明の範囲に対する限定として解釈してはならない。
【図１】
0006505531.tif 000002
【図２】
0006505531.tif 000003
【図３】
0006505531.tif 000004
【図４】
0006505531.tif 000005
【図５】
0006505531.tif 000006